(57)【要約】【課題】部品が簡素で、容易に組み立てることができる回転噴射装置を提供する。【解決手段】回転噴射装置は、噴射スリーブ２及び回転散布管３を備える。噴射スリーブ２は、側部が噴射装置本体１に固設された中空管体である。回転散布管３は、互いに接続された輸送管体３１と折り曲げ管体３２とを含む。輸送管体３１は、噴射スリーブ２中に貫設される。輸送管体３１は、折り曲げ管体３２に近い側である一方の側部に前軸受４１が外嵌され、他方の側部に後軸受４２が外嵌される。回転散布管３は、前位置規制部３３及び後位置規制部３４を有する。前位置規制部３３には、径方向側に回転散布管３が突設されて前軸受４１の前側に係止される。後位置規制部３４には、径方向側に回転散布管３が突設されて後軸受４２の後側に係止される。【選択図】図４
2014036948.tif 000002
【特許請求の範囲】
【請求項１】
噴射スリーブ及び回転散布管を備えた回転噴射装置であって、
前記噴射スリーブは、側部が噴射装置本体に固設された中空管体であり、
前記回転散布管は、互いに接続された輸送管体と折り曲げ管体とを含み、前記輸送管体は、前記噴射スリーブ中に貫設され、
前記輸送管体は、前記折り曲げ管体に近い側である一方の側部に前軸受が外嵌され、他方の側部に後軸受が外嵌され、前記回転散布管は、前位置規制部及び後位置規制部を有し、前記前位置規制部には、径方向側に前記回転散布管が突設されて前記前軸受の前側に係止され、前記後位置規制部には、径方向側に前記回転散布管が突設されて前記後軸受の後側に係止されることを特徴とする回転噴射装置。
【請求項２】
前記噴射スリーブは、前記前軸受及び前記後軸受の外環面から外方に向いた部分が中実状であることを特徴とする請求項１に記載の回転噴射装置。
【請求項３】
前記前位置規制部は、前記折り曲げ管体に位置することを特徴とする請求項１に記載の回転噴射装置。
【請求項４】
前記後位置規制部は、前記輸送管体に位置することを特徴とする請求項１に記載の回転噴射装置。
【請求項５】
前記噴射スリーブの内リング面には、前記前軸受と前記後軸受との間に係止されたスペーサが突設されることを特徴とする請求項１に記載の回転噴射装置。
【請求項６】
前記噴射スリーブは、前記前軸受の前側に当接されるとともに前記噴射スリーブの内リング面に配置された前固定部材を有することを特徴とする請求項１に記載の回転噴射装置。
【請求項７】
前記輸送管体には、前記折り曲げ管体が螺着されることを特徴とする請求項１に記載の回転噴射装置。
【請求項８】
前記回転散布管中に貫設されるとともに、前記輸送管体を介して前記折り曲げ管体の管口まで延びた流体内管をさらに備えることを特徴とする請求項１に記載の回転噴射装置。
【請求項９】
前記噴射スリーブの前側には、前記回転散布管の前記折り曲げ管体の外側に周設されるラッパ状スリーブが結合されることを特徴とする請求項１に記載の回転噴射装置。
【請求項１０】
前記前軸受及び前記後軸受は、前記噴射スリーブへ当接されることを特徴とする請求項１に記載の回転噴射装置。
【発明の詳細な説明】
【技術分野】
【０００１】
本発明は、スプレーガン装置に関し、特に、回転しながら流体を噴射させる回転噴射装置に関する。
【背景技術】
【０００２】
各種スプレーガン装置は、物の表面に付着した埃や汚れを洗浄したり、水を噴射したり、ペンキを吹き付けたり、その他様々な用途として使用される。このようなスプレーガン装置は、高圧流体を噴射して埃や汚れを洗浄したり、水又は噴霧液が混合された高圧流体により水を噴射したりペンキを吹き付けたりする。
【０００３】
スプレーガン装置のスプレー管は、スプレーを均一に行うために曲がった形状に形成されるとともに、スプレーガン装置のスプレー管上には、回転機構が結合される。スプレー管は、回転部材により回転され、高圧流体と噴霧液とが混合された液体がスプレー管の回転により３６０度全方向に均一に噴射される。
【発明の概要】
【発明が解決しようとする課題】
【０００４】
しかし、従来のスプレーガン装置は、噴射させることができるが、組み立てが複雑であり、構造強度に問題が生じる虞がある。また、複雑な部品によりスプレーガン装置の製造コストを下げることが困難であるため、市場における競争力が失われた。
【０００５】
そのため、本発明の目的は、部品が簡素で、容易に組み立てることができる回転噴射装置を提供することにある。
【課題を解決するための手段】
【０００６】
上記課題を解決するために、本発明の第１の形態によれば、噴射スリーブ及び回転散布管を備えた回転噴射装置であって、前記噴射スリーブは、側部が噴射装置本体に固設された中空管体であり、前記回転散布管は、互いに接続された輸送管体と折り曲げ管体とを含み、前記輸送管体は、前記噴射スリーブ中に貫設され、前記輸送管体は、前記折り曲げ管体に近い側である一方の側部に前軸受が外嵌され、他方の側部に後軸受が外嵌され、前記回転散布管は、前位置規制部及び後位置規制部を有し、前記前位置規制部には、径方向側に前記回転散布管が突設されて前記前軸受の前側に係止され、前記後位置規制部には、径方向側に前記回転散布管が突設されて前記後軸受の後側に係止されることを特徴とする回転噴射装置が提供される。
【０００７】
前記噴射スリーブは、前記前軸受及び前記後軸受の外環面から外方に向いた部分が中実状であることが好ましい。
【０００８】
前記前位置規制部は、前記折り曲げ管体に位置することが好ましい。
【０００９】
前記後位置規制部は、前記輸送管体に位置することが好ましい。
【００１０】
前記噴射スリーブの内リング面には、前記前軸受と前記後軸受との間に係止されたスペーサが突設されることが好ましい。
【００１１】
前記噴射スリーブは、前記前軸受の前側に当接されるとともに前記噴射スリーブの内リング面に配置された前固定部材を有することが好ましい。
【００１２】
前記輸送管体には、前記折り曲げ管体が螺着されることが好ましい。
【００１３】
前記回転散布管中に貫設されるとともに、前記輸送管体を介して前記折り曲げ管体の管口まで延びた流体内管をさらに備えることが好ましい。
【００１４】
前記噴射スリーブの前側には、前記回転散布管の前記折り曲げ管体の外側に周設されるラッパ状スリーブが結合されることが好ましい。
【００１５】
前記前軸受及び前記後軸受は、前記噴射スリーブへ当接されることが好ましい。
【発明の効果】
【００１６】
本発明の回転噴射装置は、部品の総数を減らして部材の大部分を一体成形することにより、１つの部材に多数の部品を組み合わせることができる。そのため、本発明の回転噴射装置は、部品の製造を簡便に行うことができる上、製造コストを減らすこともでき、さらには組み立てが容易で生産時間が短くて構造強度が高く、かつ、回転させながら液体を噴射させることもできる。
【図面の簡単な説明】
【００１７】
【図１】本発明の第１実施形態に係る回転噴射装置を示す側面図である。
【図２】本発明の第１実施形態に係る回転噴射装置を示す分解側面図である。
【図３】本発明の第１実施形態に係る回転噴射装置を示す部分断面図である。
【図４】本発明の第１実施形態に係る回転噴射装置を示す部分拡大図である。
【図５】本発明の第２実施形態に係る回転噴射装置を示す部分断面図である。
【発明を実施するための形態】
【００１８】
以下、本発明の実施形態について図に基づいて説明する。なお、これによって本発明が限定的に解釈されるものではない。
【００１９】
（第１実施形態）
図１〜図４を参照する。図１は、本発明の第１実施形態に係る回転噴射装置を示す側面図である。図２は、本発明の第１実施形態に係る回転噴射装置を示す分解側面図である。図３は、本発明の第１実施形態に係る回転噴射装置を示す部分断面図である。図４は、本発明の第１実施形態に係る回転噴射装置を示す部分拡大図である。
【００２０】
図１〜図４に示すように、本発明の第１実施形態に係る回転噴射装置１００は、噴射装置本体１、噴射スリーブ２及び回転散布管３を含む。
【００２１】
噴射装置本体１は、流体供給源（図示せず）に接続され、流体供給を行う。第１実施形態に係る噴射装置本体１は、調節機構１１１を中に有する制御ハンドル１１を含む。調節機構１１１は、流体供給源から噴射装置本体１へ供給される流体Ｆの流量を調整したり、噴射装置本体１へ流体Ｆが供給されることを止めたりすることができる、バルブのような機能を有する。
【００２２】
噴射スリーブ２は、回転散布管３に貫設された中空管体であり、側部に噴射装置本体１が固設される。
【００２３】
回転散布管３は、互いに接続された輸送管体３１と折り曲げ管体３２とを含む。第１実施形態の輸送管体３１は、折り曲げ管体３２に螺着されているため、容易に着脱できる上、結合しているときの安定性が好ましい。
【００２４】
輸送管体３１は、噴射スリーブ２中に挿設され、折り曲げ管体３２に近い側にある一方の側部に前軸受４１が外嵌され、他方の側部に後軸受４２が外嵌される。この構造により、回転散布管３は、前軸受４１及び後軸受４２を利用して噴射スリーブ２に対して回転させることができる。さらに詳細には、輸送管体３１と噴射装置本体１とが流体連通され、流体Ｆが噴射装置本体１を介して輸送管体３１に供給された後、折り曲げ管体３２から外方に噴射される。折り曲げ管体３２は、中心軸に対して所定角度偏心された管体であり、折り曲げ管体３２を流れる流体Ｆの作用力の影響を受けて回転し、回転散布管３の回転に伴って流体Ｆが３６０度全方向に噴射される。
【００２５】
第１実施形態の前軸受４１及び後軸受４２は、噴射スリーブ２の内リング面２０へ当接されて配置されているが、勿論、この態様だけに限定されるわけではなく、他の実施形態では、前軸受４１及び後軸受４２を噴射スリーブ２の端面に当接するように配置したり、或いは、前軸受４１及び後軸受４２を、回転噴射装置１００の他の部材（例えば、噴射装置本体１）に当接するように配置したりしてもよい。
【００２６】
好適には、軸受間が互いに当たって摩擦が起きないように、噴射スリーブ２の内リング面２０には、前軸受４１と後軸受４２との間に係止されるスペーサ２１が突設される。第１実施形態のスペーサ２１は、製造が容易なように、リング状に形成されているが、バンプ又は他の形状に形成されてもよい。また、第１実施形態の噴射スリーブ２は、前軸受４１の前側に当接され、噴射スリーブ２の内リング面２０に配置された前固定部材２２をさらに含み、スペーサ２１及び前固定部材２２により前軸受４１を固定させる。
【００２７】
また、第１実施形態の噴射スリーブ２は、前軸受４１及び後軸受４２の外環面から外方に向いた部分２３が中実状である。即ち、部分２３は緻密で、ボイドを有さない中実構造である。この構成により、高い構造強度及び支持力を得て、回転散布管３の回転を安定させることができる。
【００２８】
回転散布管３は、前位置規制部３３及び後位置規制部３４を含む。前位置規制部３３には、径方向側に回転散布管３が突設されて前軸受４１の前側に係止され、後位置規制部３４には、径方向側に回転散布管３が突設されて後軸受４２の後側に係止される。回転散布管３の軸方向の移動を制限することにより、回転散布管３が噴射スリーブ２から外れることを防ぐことができる一方、前軸受４１及び後軸受４２を制限することにより、不用意な変位及び振動が発生することを防ぐこともできる。好適には、前位置規制部３３及び後位置規制部３４により位置規制される回転散布管３は、噴射装置本体１との間に間隙が形成されるため、両者間に摩擦が生じずに回転をスムーズにさせることができる。また、前位置規制部３３及び後位置規制部３４は、第１実施形態では簡便に製造できるようにリング状に形成されているが、例えば、バンプ又は他の形状など、軸受４１，４２を係止させることができる限り如何なる形状に形成してもよい。
【００２９】
第１実施形態において、前位置規制部３３は、折り曲げ管体３２に位置し、後位置規制部３４は、輸送管体３１に位置する。この構成により、輸送管体３１と折り曲げ管体３２とを着脱させ、前位置規制部３３と後位置規制部３４とを都合良く組み立てて前軸受４１と後軸受４２とを係止させることができる。また、第１実施形態では、前位置規制部３３が折り曲げ管体３２と一体成形され、後位置規制部３４が輸送管体３１と一体成形されているため、前位置規制部３３と折り曲げ管体３２とを併せて製造したり、後位置規制部３４と輸送管体３１とを併せて製造したりし、部品の総数を減らして製造時間を短くすることができるとともに、折り曲げ管体３２及び輸送管体３１から位置規制部３３，３４が外れることを防ぐこともできる。
【００３０】
異物が当たって回転散布管３が損傷することを防ぐために、噴射スリーブ２の前側には、回転散布管３の折り曲げ管体３２の外側に周設されるラッパ状スリーブ５が結合されている。また、ラッパ状スリーブ５は、回転散布管３から噴射された流体Ｆを一箇所に集中させて洗浄効果を高めることもできる。
【００３１】
（第２実施形態）
図５を参照する。図５は、本発明の第２実施形態に係る回転噴射装置を示す部分断面図である。第２実施形態に係る回転噴射装置１００ａの構成要素は、第１実施形態と同じ部分に同一の符号が付してある。第２実施形態の回転噴射装置１００ａは、第１実施形態と異なり、流体内管６をさらに含む。流体内管６の排出端６１は、回転散布管３中に貫設されるとともに、折り曲げ管体３２の管口まで輸送管体３１が延びる。流体内管６の入力端６２は、噴射装置本体１を介して給水機構１２まで延びる。
【００３２】
上述の構造により、流体Ｆが回転散布管３を流れると、折り曲げ管体３２の管口にベンチュリ効果が生じる。ベンチュリ効果により、給水機構１２中に収納された水が吸引力により流体内管６に吸入され、流体内管６の排出端６１から排出される。この構成により、流体Ｆと水とが、折り曲げ管体３２の管口で混合されて外方に噴射される。
【００３３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３４】
１  噴射装置本体
２  噴射スリーブ
３  回転散布管
５  ラッパ状スリーブ
６  流体内管
１１  制御ハンドル
１２  給水機構
２０  内リング面
２１  スペーサ
２２  前固定部材
２３  部分
３１  輸送管体
３２  折り曲げ管体
３３  前位置規制部
３４  後位置規制部
４１  前軸受
４２  後軸受
６１  排出端
６２  入力端
１００  回転噴射装置
１００ａ  回転噴射装置
１１１  調節機構
Ｆ  流体
【図１】
2014036948.tif 000003
【図２】
2014036948.tif 000004
【図３】
2014036948.tif 000005
【図４】
2014036948.tif 000006
【図５】
2014036948.tif 000007